(57)【特許請求の範囲】
【請求項１】
遊技球が流下する遊技領域が設けられた遊技盤と、
遊技球を貯留する発射球貯留部と、
前記発射球貯留部に貯留された遊技球を発射する発射装置と、を備え、
前記発射装置によって所定の発射強度以上で発射された遊技球が、前記遊技領域へ到達可能に形成されている遊技機であって、
前記発射球貯留部に連通し、前記発射装置によって発射された遊技球が前記遊技領域の方向へ移動可能であり、かつ前記発射装置によって発射された遊技球のうち前記遊技領域へ到達しなかった遊技球が前記遊技領域の方向と異なる所定方向へ移動可能な球誘導部と、
前記球誘導部に連通し、前記遊技領域へ到達しなかった遊技球を当該球誘導部を介して遊技機の外部へ至らせる球出口と、
糸部材を挟み込むことが可能な糸部材挟み部と、を備え、
前記糸部材挟み部は、前記球誘導部内における、前記発射装置から発射された遊技球が前記遊技領域へ至るまでの間には通過しないものの、前記遊技領域へ至らずに前記球出口に至るまでの間において通過する経路中であって、糸部材の一端が固着された遊技球が前記発射球貯留部に貯留され、かつ当該糸部材の他端を前記球誘導部を介して前記球出口まで至らせた状態で当該遊技球を前記遊技領域へ向けて発射した際に、当該遊技球の移動に追従する糸部材を挟み込むことが可能な位置に設けられていることを特徴とする遊技機。
【発明の詳細な説明】
【技術分野】
【０００１】
本発明は、遊技機に関し、詳しくは、発射装置によって発射された遊技球を、遊技盤に形成された遊技領域へ案内可能な遊技機に関するものである。
【背景技術】
【０００２】
従来、この種の遊技機として、遊技球が流下可能な遊技領域が形成された遊技盤を備え、この遊技領域に、遊技球が入球することで賞球や大当たりの抽選の権利等を得ることができる入賞口（一般入賞口、始動入賞口等）が設けられたパチンコ機が知られている。このパチンコ機においては、各入賞口へ入球した遊技球を検出する球検出センサが設けられており、一般入賞口に設けられた球検出センサが遊技球を検出した場合には、賞球として所定数の遊技球を払い出し、始動入賞口に設けられた球検出センサが遊技球を検出した場合には、この検出タイミングで大当たりの抽選を行うとともに、賞球として所定数の遊技球を払い出すようになっている。
【０００３】
ところで、このようなパチンコ機において、遊技球に釣り糸等の糸部材の一端部を接着剤等で固定した状態で発射する不正行為がある。この不正行為は、上述の糸部材が付いた遊技球を遊技領域へ打ち出し、糸部材の他端部をパチンコ機の上皿に残した上で、この糸部材の他端部を操作することにより遊技球の動きを操るものである。たとえば、糸部材が固定された遊技球を球検出センサの検出位置を境界として、その上流側と下流側とを行き来させると、入賞口に遊技球が受け入れられていないにもかかわらず球検出センサが遊技球を検出してしまい、これにより不正に大当たりの抽選や賞球の払い出しが行われることとなる。
【０００４】
このような不正行為に対処すべく、従来にあっては、遊技球を発射する発射装置の球発射端部上に上述の糸部材を挟み込むための挟み込み部を設け、糸部材が固定された遊技球が発射装置から発射された際に、この挟み込み部で糸部材を挟み込むことで遊技球の操作を不可能とする、すなわち、糸部材自体が遊技球の移動軌跡上で遊技球の流れを阻む構成とするパチンコ機が考案されている（特許文献１参照）。
【先行技術文献】
【特許文献】
【０００５】
【特許文献１】特開２０１４−１８８０７２号公報
【発明の概要】
【発明が解決しようとする課題】
【０００６】
近年では、２個の遊技球を糸部材で繋いだものを用いて新たな不正行為が行われるようになっている。この不正行為においては、２個の遊技球のうち一方（１個目）の遊技球を遊技領域に届かない弱い力で発射させて下皿等に戻させた後、糸部材の繋がれた他方（２個目）の遊技球を遊技領域へ送り込み、下皿等に戻された遊技球に繋がっている糸部材を操作することで不正に遊技球を入賞口へ入球させるようなことが行われる。
この新たな不正行為では、一方（１個目）の遊技球は弱い力で発射させることから、この遊技球を発射した際には繋がれた糸部材へ十分な張力が加わらず、上述のようなパチンコ機における挟み込み部では糸部材を挟み込むことが困難となる。また、他方（２個目）の遊技球を発射した際には、一方の遊技球は下皿等に戻っていることから遊技球に繋がれた糸部材への張力の加わり方が従来の不正行為と異なり、この糸部材は上述の挟み込み部を回避して遊技領域へ到達可能となる。
このように、上述のようなパチンコ機では、２個の遊技球を糸部材で繋いだものを用いた新たな不正行為を防止することができないとの問題が生じていた。
【０００７】
そこで、本発明は、上述した事情によりなされたものであり、新たな不正行為を防止可能な遊技機の提供を目的とする。
【課題を解決するための手段】
【０００８】
上述した目的を達成するために、本発明は次のように構成されている。
以下、本発明の特徴点を図面に示した発明の実施の形態を用いて説明する。なお、下記の符号及び記載は、本発明の構成に相当する発明の実施の形態における構成の符号及び名称を示したものであり、本発明の技術的範囲を限定するものではない。
【０００９】
（１）本発明は、遊技球が流下する遊技領域１２０が設けられた遊技盤１００と、遊技球を貯留する発射球貯留部６０と、前記発射球貯留部６０に貯留された遊技球を発射する発射装置５０と、を備え、前記発射装置５０によって所定の発射強度以上で発射された遊技球が、前記遊技領域１２０へ到達可能に形成されている遊技機（パチンコ機Ｐ）であって、前記発射球貯留部６０に連通し、前記発射装置５０によって発射された遊技球が前記遊技領域１２０の方向へ移動可能であり、かつ前記発射装置５０によって発射された遊技球のうち前記遊技領域１２０へ到達しなかった遊技球が前記遊技領域１２０の方向と異なる所定方向へ移動可能な球誘導部７０と、前記球誘導部に連通し、前記遊技領域へ到達しなかった遊技球を当該球誘導部を介して遊技機の外部へ至らせる球出口と、遊技球に一端が固着された糸部材を挟み込むことが可能な糸部材挟み部１０と、を備え、前記糸部材挟み部１０は、前記球誘導部７０内における、前記発射装置から発射された遊技球が前記遊技領域へ至るまでの間には通過しないものの、前記遊技領域へ至らずに前記球出口に至るまでの間において通過する経路中であって、糸部材の一端が固着された遊技球が前記発射球貯留部に貯留され、かつ当該糸部材の他端を前記球誘導部を介して前記球出口まで至らせた状態で当該遊技球を前記遊技領域へ向けて発射した際に、当該遊技球の移動に追従する糸部材を挟み込むことが可能な位置に設けられていることを特徴とする。
【００１０】
本発明に係る遊技機においては、発射装置５０によって発射された遊技球は、遊技領域１２０へ到達可能な発射強度で発射された場合及び遊技領域１２０へ到達できない発射強度で発射された場合のいずれであっても、球誘導部７０内を移動する。そして、糸部材挟み部１０は、球誘導部７０内における、遊技球に固着された糸部材が当該遊技球の移動に追従して通過可能な位置に設けられているため、球誘導部７０内を遊技球が移動する際に、当該遊技球に繋がれた糸部材が糸部材挟み部１０に挟み込まれることとなる。
したがって、本発明に係る遊技機によれば、糸部材で繋いだ２個の遊技球の一方を下皿等に戻させた後、他方の遊技球を遊技領域１２０へ送り込むという新たな不正行為が行われる場合にも、糸部材が糸部材挟み部１０に挟み込まれ、遊技球の操作を不可能となるため、上述のような新たな不正行為を防止することができるのである。
【発明の効果】
【００１２】
本発明によれば、新たな不正行為を防止可能な遊技機を提供することができる。
【図面の簡単な説明】
【００１３】
【図１】本発明の第一の実施の形態であって、パチンコ機の外観斜視図である。
【図２】本発明の第一の実施の形態であって、パチンコ機の前扉を開いた状態の外観斜視図である。
【図３】本発明の第一の実施の形態であって、機枠及び本体枠の外観斜視図である。
【図４】本発明の第一の実施の形態であって、本体枠の部分斜視図及び糸部材挟み部の拡大斜視図である。
【図５】本発明の第一の実施の形態であって、糸部材挟み部の分解斜視図である。
【図６】本発明の第一の実施の形態であって、遊技球及び糸部材の移動経路の説明図である。
【図７】本発明の第一の実施の形態であって、遊技球及び糸部材の移動経路の説明図である。
【図８】本発明の第二の実施の形態であって、本体枠の部分斜視図である。
【図９】本発明の第二の実施の形態であって、糸部材挟み部の平面図である。
【図１０】本発明の第二の実施の形態であって、ベースガイド部材及び糸部材挟み部の分解斜視図である。
【図１１】本発明の第二の実施の形態であって、遊技球及び糸部材の移動経路の説明図である。
【発明を実施するための形態】
【００１４】
以下、本発明の好適な実施の形態を、第一の実施の形態及び第二の実施の形態に分けて、図面を参照しつつ説明する。
なお、本明細書において、パチンコ機Ｐに設けられた各構成部品についての、前後（正面背面）、左右（側面）、上下（平面底面）の方向は、各構成部品をパチンコ機Ｐに固定した状態でパチンコ機Ｐを正面視したときの方向を示すものとする。
【００１５】
（第一の実施の形態）
（パチンコ機Ｐの外部構成）
本発明の実施の形態に係る遊技機は、遊技媒体として遊技球を使用するパチンコ機Ｐである。特に図示していないが、一般的に、パチンコ機Ｐが設置される遊技場においては、島と呼ばれる遊技機の設置領域に、複数台のパチンコ機Ｐが並べて配設されるとともに、遊技球を貸し出すための遊技球貸出装置（特に図示しておらず）が各パチンコ機Ｐに隣接して設置される。また、各パチンコ機Ｐは対応する遊技球貸出装置に接続されている。
遊技球貸出装置は、紙幣の投入や遊技球の貸し出しに必要な価値情報が記憶される記憶媒体（カード）の挿入が可能となっている。そして、遊技球貸出装置に紙幣を投入（又は、カードを挿入）した上で、パチンコ機Ｐに対して所定の操作を行うことにより、遊技球貸出装置から遊技球の貸し出しを受けることができるようになっている。
【００１６】
本実施の形態に係るパチンコ機Ｐは、図１及び図２に示すように、島に固定される四角形状の枠体であって中空部を有する機枠Ｆ１と、この機枠Ｆ１にヒンジ機構（特に図示しておらず）により開閉自在に取り付けられる四角形状の枠体であって、中空部（図２、図３参照）を有する本体枠Ｆ２と、この本体枠Ｆ２にヒンジ機構（特に図示しておらず）により開閉自在に取り付けられ、正面に開口部（特に図示しておらず）が形成された前扉Ｄと、を備えている。
【００１７】
また、図１に示すように、前扉Ｄには、開口部を覆う透明板４００と、透明板４００の下方に位置し遊技球を受容可能な上皿６００及び下皿７００と、下皿７００の右方に取り付けられ遊技球の発射操作を行うための操作ハンドルＨＤと、左右上部に位置する上スピーカＳＰ１と、が設けられている。
このパチンコ機Ｐでは、機枠Ｆ１に対して本体枠Ｆ２を閉じ、さらに、前扉Ｄを閉じると、遊技盤１１０の前方に透明板４００が位置することとなる。これにより、透明板４００を介して、後方に位置する遊技盤１００を視認することができるようになっている。
【００１８】
上皿６００には、遊技球貸出装置から貸し出される遊技球や、パチンコ機Ｐから払い出される賞球が導かれるようになっている。上皿６００が遊技球で満杯になった場合には、パチンコ機Ｐから払い出される賞球は下皿７００に導かれる。下皿７００には開閉レバー８００が設けられており、開閉レバー８００を操作することにより下皿７００の底部に設けられた排出口を開いて、下皿７００に溜まった遊技球を下皿７００の外に排出できるようになっている。
操作ハンドルＨＤは、本体枠Ｆ２の正面側に設けられた遊技球を打ち出すためのハンドルであり、遊技者が回転操作可能に形成されている。
【００１９】
本体枠Ｆ２の中空部には、図２に示すように、遊技盤１００が嵌め込まれるとともに、中空部（図３参照）の右下方には、遊技球を発射するための発射装置５０が設けられている。また、本体枠Ｆ２の左下方には、下スピーカＳＰ２が設けられている。
発射装置５０は、図３及び図４に示すように、駆動装置５１と、駆動装置５１に連結されたハンマー５２とを少なくとも備えている。ハンマー５２は、後述する本体枠Ｆ２に設けられた発射球貯留部６０に貯留されている遊技球を１個ずつ打ち出すためのものであり、駆動装置５１はハンマー５２を回転駆動させるためのモータ又はソレノイドである。
【００２０】
さらに、本体枠Ｆ２の下部には、上皿６００に連通する球供給路（特に図示しておらず）から供給される遊技球を貯留する発射球貯留部６０と、発射球貯留部６０に連通する球誘導部７０とが設けられており、発射装置５０から発射される遊技球は球誘導部７０を経て、後述する遊技盤１００の発射通路１１０や遊技領域１２０へと到達するようになっている。そして、この球誘導部７０の途中には、２個の遊技球のそれぞれにその端部が固定された糸部材を切断するための糸部材挟み部１０が設けられているが、これについては後述する。
【００２１】
また、球誘導部７０の左下部には、本体枠Ｆ２の表側から裏側に遊技球を誘導する球入口７１が設けられているとともに、球入口７１の右下方には、球入口７１に誘導された遊技球を本体枠Ｆ２の裏側から表側に誘導する球出口７２が設けられている。そして、球出口７２から誘導された遊技球は、球排出路７３を経て、前扉Ｄの裏側から下皿７００へと排出される。
【００２２】
なお、球誘導部７０は、図２及び図３に示すように、蓋部材８０によって正面側から覆われている。蓋部材８０は、図４に示すように、図示しないヒンジ機構によって、本体枠Ｆ２に前後方向に回動可能に取り付けられており、蓋部材８０が閉じた状態（球誘導部７０を覆った状態）で、本体枠Ｆ２の正面と蓋部材８０の裏面との間に形成される空間部が、球誘導部７０となっている。
【００２３】
また、発射球貯留部６０には、上皿６００に連通する球供給路（特に図示しておらず）から供給される遊技球が貯留されるようになっており、上皿６００の遊技球が球供給路から発射球貯留部６０に供給された状態で遊技者が操作ハンドルＨＤを回転させて発射操作を行うと、当該操作ハンドルＨＤの回転角度に応じた強度で遊技球が発射される。
【００２４】
そして、発射装置５０によって発射されたものの、発射強度が足りずに遊技盤１００の発射通路１１０や遊技領域１２０へと到達しなかった遊技球は、球入口７１によって受け入れられる。球入口７１に受け入れられた遊技球は本体枠Ｆ２の裏側を通って球出口７２から出て、下皿７００に到達する。下皿７００に到達した遊技球をファール球という。
【００２５】
遊技盤１００は、透明なアクリル板であり、遊技盤１００の盤面には、図２及び図４に示すように、金属製の外レールＲ１及び内レールＲ２からなるガイドレールＲが設けられている。そしてこのガイドレールＲによって略円形状に仕切られた領域が、遊技領域１２０を形成する。また、遊技領域１２０の左側方の領域において、外レールＲ１と内レールＲ２との間には、球誘導部７０に連通する遊技球の発射通路１１０が形成されており、発射装置５０から発射された遊技球は、発射強度が十分な場合に発射通路１１０内を上り、左上部から遊技領域１２０内に放出される。
【００２６】
遊技領域１２０内には、図示しないが、遊技球の流下方向を不規則にするための風車及び多数の釘や、遊技球が入球可能な一般入賞口、始動入賞口、大入賞口などの複数の入賞口や、遊技球を遊技領域１２０外へ導くアウト口などが設けられている。そして、一般入賞口に遊技球が入球すると、所定の賞球が払い出される。始動入賞口へ入球すると、所定個数の賞球が払い出されるとともに、特別遊技を実行するか否かの大当たりの抽選が行われる。大当たりの抽選に当選すると、大入賞口が開放される特別遊技が実行される。上記した入賞口のいずれにも入球しなかった遊技球は、アウト口から遊技盤１００の裏面側に回収される。遊技領域１２０の中央部には、遊技盤１００に固定された液晶表示装置２１０の表示画面が位置しており、透明な遊技盤１００を透して表示画面を視認可能となっている。
【００２７】
（糸部材挟み部１０）
次に、糸部材挟み部１０について説明する。ここで、本実施の形態における糸部材挟み部１０は、遊技球に釣り糸等の糸部材を接着剤等で固定し、該遊技球を遊技領域１２０へ打ち出す不正行為に対処するためのものである。特に、本発明は、糸部材の一端部に一の遊技球を固定し、他端部に他の遊技球を固定して、糸部材によって２個連結された遊技球を遊技領域１２０へ打ち出して行われる不正行為の場合に適したものである。
【００２８】
具体的には、糸部材挟み部１０は、球誘導部７０の途中であって球入口７１の右上方（すなわち、球入口７１の上流側）に設けられており（図４参照）、糸部材を挟み込んで切断するためのカッター部材３０と、カッター部材３０を本体枠Ｆ２に取り付けるためのベースガイド部材２０及び取り付けガイド部材４０と、を備えている（図４及び図５参照）。
【００２９】
カッター部材３０は、図５に示すように、金属製の略長方形状の薄板（プレート）であって、長手方向の一方の端部には切り込み部３３が設けられているとともに、この切り込み部３３を挟んで２つの挟み片３１，３２が設けられている。すなわち、カッター部材３０における長手方向の一方の端部は、切り込み部３３を挟んで挟み片３１，３２が隣接することにより二股形状となっている（図５参照）。
また、隣接する２つの挟み片における一方の挟み片３２は、カッター部材３０の表面から下方（カッター部材３０の表面と直交する方向）に折り曲げられており、挟み片３２の先端は、他方の挟み片３１の先端よりも下側に位置するようになっている（図５参照）。
【００３０】
このカッター部材３０において、糸部材が切り込み部３３へ入り込んだ場合には、この糸部材は挟み片３１，３２に挟み込まれた状態で切り込み部３３の内奥部へ向けて進行可能となる。そして、糸部材は、切り込み部３３の内奥部へ向けて進行するにつれて挟み片３１，３２との接触により摩耗し、ひいては切断されることとなる。なお、切り込み部３３へ入り込んだ糸部材は、材質や張力の強度等により切断されない場合であっても、挟み片３１，３２により挟み込まれた状態（保持された状態）となることで、少なくとも切り込み部３３の内奥部よりも先への進行が妨げられることとなる。
【００３１】
取り付けガイド部材４０は、本体枠Ｆ２の表面に取り付けられる板状部材であり、図４及び図５に示すように、本体枠Ｆ２に取り付けた状態で、本体枠Ｆ２の表面から突設し、かつ遊技盤１００における発射通路１１０の下端近傍から右下方（発射球貯留部６０の方向）へ向けて下り傾斜する略長方形板状の傾斜部４０ａを備えている。
【００３２】
傾斜部４０ａには、図４及び図５に示すように、略中央から発射球貯留部６０側の端部にかけて凹凸が連続するＭ字状に切り欠かれた切り欠き部４７が形成されており、この切り欠き部４７は、正面方向（前扉Ｄの裏面側）を向いた切り欠き面４１と、切り欠き面４１の下端から奥方向（本体枠Ｆ２の表面側）へ向けて下り傾斜した傾斜切り欠き面４２とを備えている。
また、取り付けガイド部材４０には、ベースガイド部材２０と取り付けガイド部材４０とをネジ止めするためのネジ孔４３が設けられている（図５参照）。
【００３３】
ベースガイド部材２０は、取り付けガイド部材４０に取り付けられる正面視台形状の部材であり、図４及び図５に示すように、固定板２０ａと、固定板２０ａの外縁から突設する傾斜部２０ｂとを備えている。
【００３４】
固定板２０ａは、図５に示すように、略台形状の板部材であり、ベースガイド部材２０と取り付けガイド部材４０とをネジ止めするためのネジ孔２３が形成されている。そして、固定板２０ａを取り付けガイド部材４０における所定の取り付け位置（特に図示しておらず）に位置させると、固定板２０ａのネジ孔２３と取り付けガイド部材４０のネジ孔４３とが合致し、ネジ孔２３及びネジ孔４３にネジＶを螺合させることで、ベースガイド部材２０と取り付けガイド部材４０とがネジ止めされるようになっている。このように、ベースガイド部材２０を取り付けガイド部材４０に着脱可能としたことで、カッター部材３０の交換等を容易に行うことができることとなる。
【００３５】
傾斜部２０ｂは、図４及び図５に示すように、固定板２０ａの斜辺に相当する外縁から当該固定板２０ａと直交する方向に突設する板状部材であり、ベースガイド部材２０を取り付けガイド部材４０に取り付けた状態で、取り付けガイド部材４０の傾斜部４０ａと同斜度で下り傾斜するようになっている。
この傾斜部２０ｂには、図５に示すように、ベースガイド部材２０を取り付けガイド部材４０に取り付けた状態で、取り付けガイド部材４０の切り欠き面４１と対向する端面２１と、端面２１の下端から正面方向へ向けて下り傾斜する傾斜端面２２と、端面２１の左端に沿って形成され奥方向へ向けて開口する凹溝２４と、端面２１の上側に位置し奥方向へ突出した保持片２５と、が設けられている。
【００３６】
凹溝２４には、上述したカッター部材３０の側部を嵌め込むことが可能となっている。
そして、凹溝２４にカッター部材３０を嵌め込むと、カッター部材３０の裏面が保持片２５の表面に当接するようになっており、カッター部材３０がベースガイド部材２０（凹溝２４及び保持片２５）により保持される。
【００３７】
また、保持片２５の先端部には、固定板２０ａを取り付けガイド部材４０における上述の取り付け位置に位置させた際に、取り付けガイド部材４０に設けられた係止溝（特に図示しておらず）に係止可能な係止爪２５ａが設けられている。そして、カッター部材３０を凹溝２４に嵌め込んだ状態で、固定板２０ａを上述の取り付け位置に位置させると、係止爪２５ａが係止溝に係止する。これにより、カッター部材３０を保持した状態で、ベースガイド部材２０が取り付けガイド部材４０に取り付けられ、ひいては、カッター部材３０が本体枠Ｆ２に取り付けられることとなる。
なお、カッター部材３０は、若干のガタつき（遊び）を持たせた状態で、ベースガイド部材２０及び取り付けガイド部材４０により保持されるようにしてもよい。このようにすることで、糸部材がどのような状態で進行した場合であっても挟み片３１，３２により挟み込まれやすいようにすることができる。
【００３８】
なお、カッター部材３０は、挟み片３１，３２が設けられた端部が右下方を向いた状態で、凹溝２４に嵌め込まれるようになっている（図５参照）。
また、上述の如く、ベースガイド部材２０の傾斜部２０ｂは、ベースガイド部材２０を取り付けガイド部材４０に取り付けた状態で、取り付けガイド部材４０の傾斜部４０ａと同斜度で下り傾斜するようになっている。そうすると、ベースガイド部材２０の傾斜部２０ｂに設けられた凹溝２４及びこの凹溝２４に嵌め込まれたカッター部材３０も、取り付けガイド部材４０の傾斜部４０ａと同斜度で下り傾斜することとなる（図４及び図５参照）。
【００３９】
ところで、凹溝２４にカッター部材３０を嵌め込んでベースガイド部材２０を取り付けガイド部材４０に取り付けると、図４に示すように、取り付けガイド部材４０の傾斜部４０ａに形成された切り欠き部４７の切り欠き面４１と、ベースガイド部材２０の傾斜部２０ｂに設けられた端面２１とが、所定幅の間隙を介して対向するとともに、この間隙にカッター部材３０の切り込み部３３が位置するようになっている。そして、上述の間隙の下端側から奥方向へ向けて、取り付けガイド部材４０の傾斜部４０ａに形成された傾斜切り欠き面４２が下り傾斜するとともに、上述の間隙の下端側から正面方向へ向けて、ベースガイド部材２０の傾斜部２０ｂに設けられた傾斜端面２２が下り傾斜するようになっている（図４参照）。すなわち、傾斜切り欠き面４２及び傾斜端面２２は、切り込み部３３が位置する間隙の方向へ向けて互いに近づくように傾斜しているため、糸部材は、傾斜切り欠き面４２及び傾斜端面２２に案内されて切り込み部３３に容易に進入可能となる。
【００４０】
また、ベースガイド部材２０を取り付けガイド部材４０に取り付けた状態で蓋部材８０を閉じると、蓋部材８０の裏面と糸部材挟み部１０を構成するベースガイド部材２０の傾斜端面２２とが当接するとともに、球誘導部７０における糸部材挟み部１０の右側から上側にかけては、発射球貯留部６０に連通し、かつ発射通路１１０に連通する上側空間部７０ａが形成され、球誘導部７０における糸部材挟み部１０の下側から左側にかけては、発射球貯留部６０及び上側空間部７０ａに連通し、かつ球入口７１に連通する下側空間部７０ｂが形成される（図４及び図７参照）。
そして、発射装置５０から発射された遊技球は、発射強度が十分な場合には、発射球貯留部６０から上側空間部７０ａ及び発射通路１１０を経て遊技領域１２０へ到達し、発射強度が足りずに発射通路１１０や遊技領域１２０へ到達しなかった場合には、発射球貯留部６０又は上側空間部７０ａから下側空間部７０ｂを経て球入口７１に到達する。
【００４１】
次に、糸部材によって２個連結された遊技球を用いた不正行為が行われた際における、上述の糸部材挟み部１０による糸部材の切断又は挟み込みについて説明する。
この不正行為は、糸部材によって２個連結された遊技球のうち先に発射球貯留部６０に供給された遊技球（以下、第１遊技球という）を、発射強度を抑えて打ち出すことによりファール球とし下皿７００に排出された状態とした上で、次に発射球貯留部６０に供給された遊技球（以下、第２遊技球という）を、遊技領域１２０へ到達可能な発射強度で打ち出し、遊技領域１２０に到達した第２遊技球を糸部材により操作することで、始動入賞口等への不正な入球を行うものである。
【００４２】
上述の不正行為を行うに際して、発射球貯留部６０から打ち出された第１遊技球は、球誘導部７０における上側空間部７０ａ（糸部材挟み部１０の右側から上側にかけての空間）を経て発射通路１１０へ向かうものの、発射通路１１０や遊技領域１２０に到達することなく自重により落下し、下側空間部７０ｂ（糸部材挟み部１０の下側から左側にかけての空間）を経て、球入口７１に受け入れられる（図６の経路Ｘ及び図７（Ａ）参照）。球入口７１に受け入れられた第１遊技球は、本体枠Ｆ２の裏側を通って球出口７２から本体枠Ｆ２の表側に出て（図６の経路Ｙ及び図７（Ａ）参照）、球排出路７３を経て下皿７００に到達する（図６の経路Ｚ及び図７（Ａ）参照）。
また、第１遊技球と第２遊技球とを繋ぐ糸部材は上述の経路を移動する第１遊技球に追従するため、第１遊技球が下皿７００に到達した際、この糸部材は、第２遊技球が位置している上皿６００又は発射球貯留部６０から球誘導部７０における球入口７１及び球出口７２を介して下皿７００まで張り巡らされた状態となる（図７（Ｂ）参照）。なお、第１遊技球は、球入口７１を介して本体枠Ｆ２の表側から裏側へ至った後、球出口７２を介して本体枠Ｆ２の裏側から表側へ至るため、糸部材は本体枠Ｆ２に括り付けられた状態となっている。
【００４３】
そして、上述の状態において第２遊技球が発射球貯留部６０から打ち出されると、この第２遊技球は、球誘導部７０における上側空間部７０ａを経て発射通路１１０に到達し（図６の経路Ｗ参照）、この発射通路１１０内を上っていく。
このとき、糸部材は、第２遊技球に追従し、第２遊技球が発射通路１１０内を上るに伴って発射通路１１０の方向へ引っ張られることとなる（図７（ｃ）参照）。そして、この糸部材は、第２遊技球に引っ張られることにより発射通路１１０の方向へ向けての張力が加えられた状態で、下側空間部７０ｂを経て糸部材挟み部１０の傾斜切り欠き面４２又は傾斜端面２２に当接する。その後、第２遊技球が発射通路１１０内をさらに上ると、糸部材は、傾斜切り欠き面４２又は傾斜端面２２に案内されて切り欠き面４１と端面２１との間に間隙に到達し、さらには、間隙内に位置しているカッター部材３０の切り込み部３３に入り込むこととなる。そして、上述の如く、糸部材は、カッター部材３０の挟み片３１，３２に挟み込まれた状態で切り込み部３３の内奥部へ向けて進行し、切断されるか又は内奥部より先への進行が妨げられることとなる。
【００４４】
以上のように、本形態に係るパチンコ機Ｐにおいては、発射球貯留部６０から打ち出された遊技球が到達可能な球誘導部７０と、球誘導部７０に連通し球誘導部７０へ到達した遊技球を遊技領域１２０へ誘導可能な発射通路１１０と、球誘導部７０に連通し球誘導部７０へ到達した遊技球を下皿７００へ誘導可能な球入口７１とが設けられているとともに、球入口７１から発射通路１１０へ向かう経路の途中に、遊技球に固定された糸部材を切断するための糸部材挟み部１０が設けられている。
これにより、糸部材によって２個連結された遊技球を用いた不正行為が行われる場合において、第１遊技球が下皿７００に排出された状態で下皿７００から球誘導部７０を経て発射球貯留部６０まで張り巡らされた糸部材が、発射球貯留部６０から打ち出された第２遊技球の進行に伴って発射通路１１０方向へ引っ張られる際に、糸部材挟み部１０を構成するカッター部材３０の切り込み部３３に入り込むことで、この糸部材は切断されるか又は切り込み部４４の内奥部より先への進行が妨げられる。
したがって、糸部材を操作しても、最早、遊技領域１２０に到達した第２遊技球を始動入賞口等へ入球させることができず、糸部材によって２個連結された遊技球を用いた不正行為を適切に防止することができるのである。
【００４５】
（変形例）
上述の実施の形態では、糸部材挟み部１０は、本体枠Ｆ２の表面に設けられていたが、これに限定されるものではなく、蓋部材８０の裏面に糸部材挟み部１０を設け、蓋部材８０を閉じると、球誘導部７０内に糸部材挟み部１０が配設されるようにしてもよい。
また、糸部材挟み部１０は、球入口７１の上流側に設けるのではなく、球入口７１と球出口７２の間や、球出口７２の下流側に設けてもよい。
また、上述の実施の形態では、カッター部材３０における２つの挟み片のうち、一方の挟み片３２を、カッター部材３０の表面から下方に折り曲げ、挟み片３２の先端が他方の挟み片３１の先端よりも下側に位置するように形成していたが、これに限定されるものではなく、挟み片３１をカッター部材３０の表面から下方に折り曲げ、挟み片３１の先端が挟み片３２の先端よりも下側に位置するように形成してもよい。
また、挟み片３１及び挟み片３２のいずれか一方をカッター部材３０の表面から上方に折り曲げ、一方の先端が他方の先端よりも上側に位置するように形成してもよい。
このように形成した場合であっても、上述の実施の形態と同様の効果を奏することとなる。
【００４６】
また、上述の実施の形態では、糸部材挟み部１０は、カッター部材３０、取り付けガイド部材４０及びベースガイド部材２０の３つの別部材により構成されていたが、これに限定されるものでない。たとえば、一体成型を行うことでカッター部材３０、取り付けガイド部材４０及びベースガイド部材２０を一部材として形成し、これにより糸部材挟み部１０を構成してもよい。
このように形成した場合には、上述の実施の形態と同様の効果を奏するとともに、本体枠Ｆ２への糸部材挟み部１０の取り付けが容易となる。
また、上述の実施の形態では、第１遊技球をファール球とすることにより行われる不正行為を防止する糸部材挟み部１０のみが設けられていたが、これに限定されるものではなく、上述の糸部材挟み部１０に加え、第１遊技球を遊技領域１２０に到達可能な発射強度で打ち出す（すなわち、第１遊技球を遊技領域１２０に到達させる）ことにより行われる不正行為を防止する糸部材挟み部も設けるようにしてもよい。たとえば、上述の糸部材挟み部１０に加え、発射装置５０の球発射端部上に糸部材を挟み込むための糸部材挟み部を設けてもよい。
このように、遊技球を遊技領域１２０に到達させることにより行われる不正行為を防止する第１の糸部材挟み部と、遊技球を遊技領域１２０に到達させないことにより行われる不正行為を防止する第２の糸部材挟み部とを、遊技球が移動可能な経路上に設けることで、種々の不正行為を適切に防止することができるのである。
なお、第１の糸部材挟み部及び第２の糸部材挟み部は、遊技球が移動可能な経路上に設けられていれば、いずれを上流側に配置してもよいが、第１の糸部材挟み部を第２の糸部材挟み部よりも上流側に配置するのが望ましい。
【００４７】
（第二の実施の形態）
次に、第二の実施の形態について説明する。ここでは、主に、第一の実施の形態に係るパチンコ機Ｐとの相違点について詳細に説明し、第一の実施の形態に係るパチンコ機Ｐと同一の構成については説明を簡略化又は省略するものとする。なお、カッター部材３０、ベースガイド部材２０及び取り付けガイド部材４０が備える各構成については、第一の実施の形態における各構成と異なる符号を付し、それ以外については第一の実施の形態と同一の符号を付すものとする。
【００４８】
本実施の形態に係るパチンコ機Ｐの本体枠Ｆ２の右下方には、図８に示すように、発射装置５０が設けられている。また、発射装置５０の右方には、下スピーカＳＰ２が設けられている。さらに、本体枠Ｆ２の下部には、発射球貯留部６０と、発射球貯留部６０に連通する球誘導部７０とが設けられており、発射装置５０から発射される遊技球は球誘導部７０を経て、遊技盤１００の発射通路１１０へと到達するようになっている。
【００４９】
また、図８に示すように、球誘導部７０の右下部には、球入口７１が設けられているとともに、球入口７１の左下方には、球出口７２が設けられている。球入口７１に受け入れられた遊技球は、本体枠Ｆ２の表側から裏側に誘導された後、球出口７２に到達し、本体枠Ｆ２の裏側から表側へ誘導される（図１１参照）。そして、球出口７２から誘導された遊技球は、球排出路７３を経て、前扉Ｄの裏側から下皿７００へと排出される（図１１参照）。
【００５０】
なお、球誘導部７０は、図８に示すように、蓋部材８０によって正面側から覆われている。蓋部材８０は、本体枠Ｆ２に着脱自在に取り付けられており、蓋部材８０を本体枠Ｆ２に取り付けた状態（球誘導部７０を覆った状態）で、本体枠Ｆ２の正面と蓋部材８０の裏面との間に形成される空間部が、球誘導部７０となっている。
また、本実施の形態では、蓋部材８０の裏面に糸部材挟み部１０が設けられており、蓋部材８０を本体枠Ｆ２に取り付けると、球誘導部７０の途中に糸部材挟み部１０が配設されるようになっている（図８参照）。
【００５１】
（糸部材挟み部１０）
本実施の形態における糸部材挟み部１０は、蓋部材８０を本体枠Ｆ２に取り付けた状態で、球誘導部７０の途中であって球入口７１の左上方（すなわち、球入口７１の上流側）に配設されるようになっている（図８及び図１１参照）。また、本実施の形態では、取り付けガイド部材４０は蓋部材８０の裏面に設けられており、カッター部材３０を嵌め込んだ状態のベースガイド部材２０を取り付けガイド部材４０に取り付けることで蓋部材８０の裏面に糸部材挟み部１０が設けられ、この蓋部材８０を本体枠Ｆ２に取り付けることで、糸部材挟み部１０が本体枠Ｆ２に取り付けられることとなる（図８、図９及び図１０参照）。
【００５２】
本実施の形態におけるカッター部材３０は、第一の実施の形態とほぼ同様の構成となっている。具体的には、カッター部材３０は、図１０に示すように、金属製の略長方形状の薄板（プレート）であって、長手方向の一方の端部には切り込み部３３ａが設けられているとともに、この切り込み部３３ａを挟んで２つの挟み片３１ａ，３２ａが設けられている。また、隣接する２つの挟み片における一方の挟み片３２ａは、カッター部材３０の表面から下方に折り曲げられている（図１０参照）。
そして、切り込み部３３ａへ入り込んだ糸部材は、切断されるか又は切り込み部３３ａの内奥部よりも先への進行が妨げられることとなる。
【００５３】
本実施の形態における取り付けガイド部材４０は、蓋部材８０の裏面に設けられた板状部材であり、図１０（Ｂ）及び図１１に示すように、蓋部材８０の裏面から突設し、かつ蓋部材８０を本体枠Ｆ２に取り付けた状態で左方（発射球貯留部６０と反対の方向）へ延びる延設部４０ｂを備えている。
【００５４】
延設部４０ｂは、図１０（Ｂ）に示すように、上下に配設された一組の略台形状の板部材である上側延設片４０ｃ及び下側延設片４０ｄを備えている。また、上側延設片４０ｃには、図１０（Ｂ）に示すように、奥側端部をＬ字状に切り欠いた切り欠き部４７ａが形成されており、この切り欠き部４７ａは、蓋部材８０を本体枠Ｆ２に取り付けた状態で奥方向（本体枠Ｆ２の表面側）を向く切り欠き面４１ａと、切り欠き面４１ａの左端から左手前方向へ傾斜する傾斜切り欠き面４２ａとを備えている。また、下側延設片４０ｄにも、上述と同様の構成の切り欠き部４７ｂが形成されており、この切り欠き部４７ｂは、上述と同様の構成の切り欠き面４１ｂと傾斜切り欠き面４２ｂとを備えている（図１０（Ｂ）参照）。また、上側延設片４０ｃと下側延設片４０ｄとの間には、カッター部材３０の側部を嵌め込み可能な嵌め込み溝４４が形成されている（図１０（Ｂ）参照）。
【００５５】
また、取り付けガイド部材４０には、ベースガイド部材２０と取り付けガイド部材４０とをネジ止めするためのネジ孔４３ａが形成されたボス４３ｂが設けられている（図１０（Ｂ）参照）。
【００５６】
本実施の形態におけるベースガイド部材２０は、取り付けガイド部材４０に取り付けられる部材であり、図１０（Ｂ）に示すように、固定板２０ｃと、固定板２０ｃの外縁から突設する延設部２０ｄとを備えている。
【００５７】
固定板２０ｃは、図１０（Ｂ）に示すように、正面視略Ｌ字形状の板部材であり、ベースガイド部材２０と取り付けガイド部材４０とをネジ止めするためのネジ孔２３ａが形成されている。そして、固定板２０ｃを取り付けガイド部材４０における所定の取り付け位置（特に図示しておらず）に位置させると、固定板２０ｃのネジ孔２３ａと取り付けガイド部材４０のボス４３ｂに形成されたネジ孔４３ａとが合致し、ネジ孔２３ａ及びネジ孔４３ａにネジＶを螺合させることで、ベースガイド部材２０と取り付けガイド部材４０とがネジ止めされるようになっている。
【００５８】
延設部２０ｄは、固定板２０ｃの外縁から当該固定板２０ｃと直交する方向に突設する板状部材であり、ベースガイド部材２０を取り付けガイド部材４０に取り付けた状態で、取り付けガイド部材４０の延設部４０ｂと対向するようになっている（図９及び図１０（Ｂ）参照）。
この延設部２０ｄには、図８〜図１０に示すように、ベースガイド部材２０を取り付けガイド部材４０に取り付けた状態で、取り付けガイド部材４０の切り欠き面４１ａと対向する端面２１ａと、端面２１ａの左端から左奥方向へ向けて傾斜する傾斜端面２２ａと、が設けられている。また、端面２１ａには、図８〜図１０に示すように、ベースガイド部材２０を取り付けガイド部材４０に取り付けた状態で正面方向へ向けて開口する凹溝２４ａが形成されている。
【００５９】
凹溝２４ａには、カッター部材３０の側部を嵌め込むことが可能となっており、凹溝２４ａにカッター部材３０ａの一方の側部を嵌め込んだ状態で、固定板２０ｃを取り付けガイド部材４０における上述の取り付け位置に位置させると、取り付けガイド部材４０の嵌め込み溝４４にカッター部材３０の他方の側部が嵌め込まれることとなる（図９及び図１０（Ｂ）参照）。そして、ベースガイド部材２０と取り付けガイド部材４０とをネジ止めすることで蓋部材８０の裏面に糸部材挟み部１０が設けられ、この蓋部材８０を本体枠Ｆ２に取り付けることで糸部材挟み部１０が本体枠Ｆ２に取り付けられることとなり、ひいては、カッター部材３０が本体枠Ｆ２に取り付けられることとなる。
【００６０】
また、カッター部材３０は、ベースガイド部材２０を取り付けガイド部材４０に取り付けた状態で、挟み片３１ａ，３２ａが設けられた端部が左方を向いた状態で、凹溝２４ａ及び嵌め込み溝４４に嵌め込まれるようになっている（図８〜図１０参照）。
また、ベースガイド部材２０を取り付けガイド部材４０に取り付けると、図９に示すように、取り付けガイド部材４０における切り欠き部４７ａの切り欠き面４１ａと、ベースガイド部材２０における延設部２０ｄの端面２１ａとが、所定幅の間隙を介して対向するとともに、この間隙に、凹溝２４ａ及び嵌め込み溝４４に嵌め込まれたカッター部材３０の切り込み部３３ａが位置するようになっている。
【００６１】
また、ベースガイド部材２０を取り付けガイド部材４０に取り付けた状態で蓋部材８０を本体枠Ｆ２に取り付けると、本体枠Ｆ２の表面と糸部材挟み部１０を構成するベースガイド部材２０の固定板２０ｃとが当接するとともに、球誘導部７０における糸部材挟み部１０の右側から上側を経て左側にかけては、発射球貯留部６０に連通し、かつ発射通路１１０に連通する上側空間部７０ｃが形成され、球誘導部７０における糸部材挟み部１０の左側から下側にかけては、上側空間部７０ｃに連通し、かつ球入口７１に連通する下側空間部７０ｄが形成される（図１１参照）。
本実施の形態における下側空間部７０ｄは、第一の実施の形態における下側空間部７０ｂと異なり、発射球貯留部６０とは直接連通しておらず、上側空間部７０ｃを介して発射球貯留部６０に至るようになっている（図１１参照）。
そのため、発射装置５０から発射された遊技球は、発射強度が十分な場合には、上側空間部７０ｃ及び発射通路１１０を経て遊技領域１２０に到達するものの、発射強度が足りずに発射通路１１０や遊技領域１２０へ到達しなかった場合には必ず、上側空間部７０ｃから下側空間部７０ｄを経て球入口７１に到達する。
【００６２】
次に、糸部材によって２個連結された遊技球を用いた不正行為が行われた際における、本実施の形態の糸部材挟み部１０による糸部材の切断又は挟み込みについて説明する。
上述の不正行為を行うに際して、発射球貯留部６０から打ち出された第１遊技球は、上側空間部７０ｃにおける糸部材挟み部１０の右側及び上側の空間を進行するものの、発射通路１１０や遊技領域１２０に到達することなく自重により落下し、上側空間部７０ｃにおける糸部材挟み部１０の上側及び左側の空間を経て、下側空間部７０ｄに到達し、さらに、この下側空間部７０ｄを経て糸部材挟み部１０の右下方に位置する球入口７１に受け入れられる（図１１参照）。そして、球入口７１に受け入れられた第１遊技球は、本体枠Ｆ２の裏側を通って球出口７２から本体枠Ｆ２の表側に出て、球排出路７３を経て下皿７００に到達する（図１１参照）。
【００６３】
また、第１遊技球と第２遊技球とを繋ぐ糸部材は、第１遊技球が上述の経路を移動するに伴って、第２遊技球が位置する上皿６００又は発射球貯留部６０から、上側空間部７０ｃにおける糸部材挟み部１０の右側の空間、上側空間部７０ｃにおける糸部材挟み部１０の上側の空間、上側空間部７０ｃにおける糸部材挟み部１０の左側の空間及び下側空間部７０ｄ、球入口７１及び球出口７２を経て、下皿７００まで、第１遊技球によって引っ張られることとなる（図１１参照）。
【００６４】
ここで、本実施の形態における糸部材挟み部１０は、球誘導部７０における球入口７１の左上方に位置している。したがって、上述のように第１遊技球によって引っ張られる糸部材は、球入口７１の方向へ向けての張力が加えられた状態で、糸部材挟み部１０の傾斜切り欠き面４２ａ又は傾斜端面２２ａに当接した後、傾斜切り欠き面４２ａ又は傾斜端面２２ａに案内されて切り欠き面４１ａと端面２１ａとの間に間隙に到達し、さらには、間隙内に位置しているカッター部材３０の切り込み部３３ａに入り込むこととなる。そして、糸部材は、カッター部材３０の挟み片３１ａ，３２ａに挟み込まれた状態で切り込み部３３ａの内奥部へ向けて進行し、切断されるか又は内奥部より先への進行が妨げられることとなる。
【００６５】
以上のように、本形態に係るパチンコ機Ｐによれば、糸部材によって２個連結された遊技球を用いた不正行為が行われる場合において、糸部材が、第１遊技球の移動に伴って球入口７１方向へ引っ張られる際に、糸部材挟み部１０を構成するカッター部材３０の切り込み部３３ａに入り込むことで、この糸部材は切断されるか又は切り込み部３３ａの内奥部より先への進行が妨げられる。
したがって、第２遊技球が遊技領域１２０に到達した後、糸部材を操作しても、最早、第２遊技球を始動入賞口等へ入球させることができず、糸部材によって２個連結された遊技球を用いた不正行為を適切に防止することができるのである。
【００６６】
（変形例）
上述の実施の形態では、糸部材挟み部１０は、蓋部材８０の裏面に設けられていたが、これに限定されるものではなく、本体枠Ｆ２の表面に設けてもよい。
また、糸部材挟み部１０は、球入口７１の上流側に設けるのではなく、球入口７１と球出口７２の間や、球出口７２の下流側に設けてもよい。
また、カッター部材３０の挟み片３１ａ，３２ａについては、第一の実施の形態の変形例と同様に、挟み片３１ａをカッター部材３０の表面から下方に折り曲げ、挟み片３１ａの先端が挟み片３２ａの先端よりも下側に位置するように形成してもよい。また、挟み片３１ａ及び挟み片３２ａのいずれか一方をカッター部材３０の表面から上方に折り曲げ、一方の先端が他方の先端よりも上側に位置するように形成してもよい。
このように形成した場合であっても、上述の実施の形態と同様の効果を奏することとなる。
【００６７】
また、糸部材挟み部１０については、第一の実施の形態の変形例と同様に、一体成型を行うことでカッター部材３０、取り付けガイド部材４０及びベースガイド部材２０を一部材として形成し、これにより糸部材挟み部１０を構成してもよい。
このように形成した場合には、上述の実施の形態と同様の効果を奏するとともに、蓋部材８０への糸部材挟み部１０の取り付けが容易となる。
また、第一の実施の形態の変形例と同様に、第１遊技球をファール球とすることにより行われる不正行為を防止する糸部材挟み部１０のみならず、上述の糸部材挟み部１０に加え、第１遊技球を遊技領域１２０に到達可能な発射強度で打ち出すことにより行われる不正行為を防止する糸部材挟み部（たとえば、発射装置５０の球発射端部上に設けられた糸部材挟み部等）も設けるようにしてもよい。これにより、種々の不正行為を適切に防止可能となる。
【符号の説明】
【００６８】
Ｐ  パチンコ機              Ｆ２  本体枠
１０  糸部材挟み部          ２０  ベースガイド部材
３０  カッター部材          ４０  取り付けガイド部材
５０  発射装置              ６０  発射球貯留部
７０  球誘導部              ７１  球入口
８０  蓋部材
１００  遊技盤              １１０  発射通路
１２０  遊技領域            ６００  上皿
７００  下皿
【図１】
0006748467.tif 000002
【図２】
0006748467.tif 000003
【図３】
0006748467.tif 000004
【図４】
0006748467.tif 000005
【図５】
0006748467.tif 000006
【図６】
0006748467.tif 000007
【図７】
0006748467.tif 000008
【図８】
0006748467.tif 000009
【図９】
0006748467.tif 000010
【図１０】
0006748467.tif 000011
【図１１】
0006748467.tif 000012